(57)【要約】【課題】表示画面にウィンドウが表示されているアプリケーションの操作部品を、アプリケーションに対応した表示態様で表示させることのできる表示装置、操作パネル表示方法、及び操作パネル表示プログラムの提供を目的とする。【解決手段】表示画面にウィンドウを表示させるアプリケーションに対する操作パネルを前記表示画面に表示させる表示装置であって、前記アプリケーションのウィンドウの表示位置及び表示サイズに基づいて、前記操作パネルの表示位置を決定する表示領域決定手段を有することことにより上記課題を解決する。【選択図】        図２
2004206455.tif 000002
【特許請求の範囲】
【請求項１】
表示画面にウィンドウを表示させるアプリケーションに対する操作パネルを前記表示画面に表示させる表示装置であって、
前記アプリケーションのウィンドウの表示位置及び表示サイズに基づいて、前記操作パネルの表示位置を決定する表示領域決定手段を有することを特徴とする表示装置。
【請求項２】
前記操作パネルの表示内容はアプリケーションに対応していることを特徴とする請求項１記載の表示装置。
【請求項３】
前記表示領域決定手段は、前記アプリケーションのウィンドウの表示位置及び表示サイズに基づいて、前記操作パネルの表示サイズを決定することを特徴とする請求項１又は２記載の表示装置。
【請求項４】
前記表示領域決定手段は、前記操作パネルが前記表示画面の余白領域に収まるように前記操作パネルの表示位置及びサイズを決定することを特徴とする請求項１乃至３いずれか一項記載の表示装置。
【請求項５】
前記表示画面の表示状態の変更を検出する表示状態変更検出手段を更に有することを特徴とする請求項１乃至４いずれか一項記載の表示装置。
【請求項６】
表示画面にウィンドウを表示させるアプリケーションに対する操作パネルを前記表示画面に表示させる表示装置における操作パネル表示方法であって、
前記アプリケーションのウィンドウの表示位置及び表示サイズに基づいて、前記操作パネルの表示位置を決定する表示領域決定手順を有することを特徴とする操作パネル表示方法。
【請求項７】
前記操作パネルの表示内容はアプリケーションに対応していることを特徴とする請求項６記載の操作パネル表示方法。
【請求項８】
前記表示領域決定手順は、前記アプリケーションのウィンドウの表示位置及び表示サイズに基づいて、前記操作パネルの表示サイズを決定することを特徴とする請求項６又は７記載の操作パネル表示方法。
【請求項９】
前記表示領域決定手順は、前記操作パネルが前記表示画面の余白領域に収まるように前記操作パネルの表示位置及びサイズを決定することを特徴とする請求項６乃至８いずれか一項記載の操作パネル表示方法。
【請求項１０】
前記表示画面の表示状態の変更を検出する表示状態変更検出手順を更に有することを特徴とする請求項６乃至９いずれか一項記載の操作パネル表示方法。
【請求項１１】
請求項６乃至１０いずれか一項記載の操作パネル表示方法をコンピュータに実行させるための操作パネル表示プログラム。
【発明の詳細な説明】
【０００１】
【発明の属する技術分野】
本発明は、表示装置、操作パネル表示方法、及び操作パネル表示プログラムに関し、特に表示画面にウィンドウを表示させるアプリケーションに対する操作パネルを表示する表示装置、操作パネル表示方法、及び操作パネル表示プログラムに関する。
【０００２】
【従来の技術】
従来より、アプリケーションを操作するための部品を画面上に表示させることは一般的に行われている。例えば、特許文献１には、表示画面にキーの間隔を任意の幅に変更できるキーボードを表示させる発明が記載されている。しかし、これらの操作部品は、その操作部品を表示しているアプリケーションに対してのみ用いられ、他のアプリケーションを操作することは出来なかった。即ち、電卓ソフトのテンキーによって、ワープロソフトに対する入力は出来なかった。
【０００３】
そこで、アプリケーション間を超えて入力が行える汎用的な操作部品を画面上に表示させるものが登場した（例えば、ビジュアルキーボード）。
【０００４】
上記のようなソフトウェアによれば、表示画面に表示された操作部品を用いてアプリケーションの種類に関わらず指示入力をすることができる。
【０００５】
【特許文献１】
特開平８−８３２７０号公報
【０００６】
【発明が解決しようとする課題】
しかしながら、上記のような汎用的な操作部品は、その汎用的な性質から表示内容が画一であり、特定のアプリケーションには不要な入力部品まで表示することから、表示画面を無駄に占有する場合があった。
【０００７】
またアプリケーションの表示サイズや配置とは無関係に表示されるため、アプリケーション画面が見にくくなる場合があり、そのような場合、ユーザは操作部品の大きさや配置の変更をしなければならないという問題があった。
【０００８】
本発明は、上記の点に鑑みてなされたものであって、表示画面にウィンドウが表示されているアプリケーションの操作部品を、アプリケーションに対応した表示態様で表示させることのできる表示装置、操作パネル表示方法、及び操作パネル表示プログラムの提供を目的とする。
【０００９】
【課題を解決するための手段】
そこで上記課題を解決するため、本発明は、請求項１に記載されるように、表示画面にウィンドウを表示させるアプリケーションに対する操作パネルを前記表示画面に表示させる表示装置であって、前記アプリケーションのウィンドウの表示位置及び表示サイズに基づいて、前記操作パネルの表示位置を決定する表示領域決定手段を有することを特徴とする。
【００１０】
このような表示装置では、アプリケーションの表示位置及び表示サイズに基づいて操作パネルの表示位置を決定するため、アプリケーションに対応した表示態様で操作パネルを表示させることができる。
【００１１】
また、本発明は、請求項２に記載されるように、前記操作パネルの表示内容はアプリケーションに対応していることを特徴とする。
【００１２】
このような表示装置では、アプリケーションに対応した表示内容を有する操作パネルを表示させることができる。
【００１３】
また、本発明は、請求項３に記載されるように、前記表示領域決定手段は、前記アプリケーションのウィンドウの表示位置及び表示サイズに基づいて、前記操作パネルの表示サイズを決定することを特徴とする。
【００１４】
このような表示装置では、アプリケーションの表示位置及び表示サイズに基づいて操作パネルの表示サイズを決定するため、アプリケーションに対応した表示態様で操作パネルを表示させることができる。
【００１５】
また、本発明は、請求項４に記載されるように、前記表示領域決定手段は、前記操作パネルが前記表示画面の余白領域に収まるように前記操作パネルの表示位置及びサイズを決定することを特徴とする。
【００１６】
このような表示装置では、操作パネルの余白領域の操作パネルを表示させるため、ウィンドウの重複によるアプリケーションの操作性の低下を防止することができる。
【００１７】
また、本発明は、請求項５に記載されるように、前記表示画面の表示状態の変更を検出する表示状態変更検出手段を更に有することを特徴とする。
【００１８】
このような表示装置では、アプリケーションのウィンドウのサイズ変更や、操作対象とするアプリケーションが別のアプリケーションになった場合等、改めて操作パネルの表示態様をアプリケーションに対応させることができる。
【００１９】
また上記課題を解決するため、本発明は、上記表示装置における操作パネル表示方法、又はその方法をコンピュータに行なわせるための操作パネル表示プログラムとしてもよい。
【００２０】
【発明の実施の形態】
以下、図面に基づいて本発明の実施の形態を説明する。図１は、本発明の実施の形態における操作パネル表示装置のハードウェア構成例を示す図である。図１の操作パネル表示装置１０は、それぞれバスBで相互に接続されているドライブ装置１００と、補助記憶装置１０２と、メモリ装置１０３と、演算処理装置１０４と、入力装置１０５と、表示装置１０６とを有するように構成される。
【００２１】
操作パネル表示装置１０が利用する操作パネル表示プログラムは、CD―ROM等の記録媒体１０１によって提供される。操作パネル表示プログラムを記録した記録媒体１０１は、ドライブ装置１００にセットされ、操作パネル表示プログラムが記録媒体１０１からドライブ装置１００を介して補助記憶装置１０２にインストールされる。
【００２２】
補助記憶装置１０２は、インストールされた操作パネル表示プログラムを格納すると共に、必要なファイルやデータ等を格納する。例えば補助記憶装置１０２は、操作パネル表示プログラムの処理に必要な、後述する各種テーブルを格納している。メモリ装置１０３は、操作パネル表示プログラムの起動指示があった場合に、補助記憶装置１０２から操作パネル表示プログラムを読み出して格納する。演算処理装置１０４は、メモリ装置１０３に格納された操作パネル表示プログラムに従って操作パネル表示装置１０に係る機能を実行する。
【００２３】
表示装置１０６は、操作パネル表示プログラムや、その他のアプリケーションが表示するＧＵＩ（Graphical User Interface）等を表示する。入力装置１０５、はキーボード及びマウス等で構成され、様々な操作指示を入力するために用いられる。
【００２４】
図２は、本発明の実施の形態における操作パネル表示装置の機能構成例を示す図である。図２の操作パネル表示装置１０は、操作パネル要求取得部１１１、アプリケーション情報取得部１１２、操作パネル内容決定部１１３、操作パネル情報取得部１１４、アプリケーション座標取得部１１５、操作パネル座標決定部１１６、操作パネル表示部１１７、表示状態変更検出部１１８、操作パネルアドレステーブル１５１、限度サイズテーブル１５２、理想サイズテーブル１５３、及び重複テーブル１５４等から構成される。
【００２５】
操作パネル要求取得部１１１は、操作パネルの表示要求を取得するものである。ここで、操作パネルとは、表示装置１０６に画像として表示される仮想的な入力手段であり、起動されている種々のアプリケーションに対し、文字列等の入力を行うことが可能なものである。操作パネルの一例としては、キーボードをＧＵＩとして実現したもの等が相当する。ユーザは、一つの操作パネルによって、そのときに有効となっている（入力可能となっている）アプリケーションに対して入力操作を行うことが可能である。
【００２６】
アプリケーション情報取得部１１２は、ワープロソフトや表計算ソフト等、任意のアプリケーション（以下、単に「アプリケーション」という。）のうち、現在有効となっている、即ち、ユーザの操作対象となっているアプリケーション（以下、「有効アプリケーション」という。）のアプリケーション名等の情報を取得するものである。
【００２７】
操作パネル内容決定部１１３は、操作パネルアドレステーブル１５１に基づいて、有効アプリケーションに対応した操作パネルの表示内容を決定するものである。操作パネル情報取得部１１４は、補助記憶装置１０２に格納されている限度サイズテーブル１５２、理想サイズテーブル１５３、及び重複テーブル１５４等に登録されている操作パネルの表示情報をメモリ装置１０３に読み込むためのものである。
【００２８】
アプリケーション座標取得部１１５は、表示装置１０６の表示画面（以下、単に「表示画面」という。）における、有効アプリケーションのウィンドウ（以下、「アプリケーションウィンドウ」という。）の表示位置及びサイズを取得するものである。操作パネル座標決定部１１６は、アプリケーションウィンドウの配置情報や限度サイズテーブル１５２等から読み込んだ情報等に基づいて、これから表示する操作パネルの表示位置及サイズを決定するものである。操作パネル表示部１１７は、操作パネルの表示を行うものである。表示状態変更検出部１１８は、アプリケーションウィンドウのサイズ変更、有効アプリケーションの変更等、表示画面の表示状態の変更を検出するものである。
【００２９】
以下、図２の操作パネル表示装置１０の処理手順について説明する。図３は、操作パネル表示装置の処理を説明するためのフローチャートである。
【００３０】
ステップＳ１において、任意のアプリケーションが実行されている状態で、ユーザがマウス又はキーボート等の入力装置１０５から操作パネルの表示要求を行うと、その要求を操作パネル要求取得部１１１が取得する。
【００３１】
ステップＳ１に続いてステップＳ２に進み、アプリケーション情報取得部１１２は、有効アプリケーションの情報（アプリケーション名等）を取得する。ステップＳ２に続いてステップＳ３に進み、操作パネル内容決定部１１３は、ステップＳ２で取得した有効アプリケーションのアプリケーション名に基づいて、表示すべき操作パネルの操作パネルアドレスを操作パネルアドレステーブル１５１より取得することにより、操作パネルの表示内容を特定する。
【００３２】
図４は、操作パネルアドレステーブルの構成例を示す図である。操作パネルアドレステーブル１５１は、アプリケーションごとに、「アプリケーション名」、「操作パネルアドレス」、及び「表示内容」等を管理しているテーブルである。「アプリケーション名」は、アプリケーションに付けられた名前である。図４においては、抽象的な名前が記載されているが、実際の商品名を登録してもよい。「操作パネルアドレス」は、操作パネルの種類ごとに一意に付けられた識別番号である。「表示内容」は、操作パネルアドレスで特定される操作パネルの説明である。
【００３３】
従って、有効アプリケーションのアプリケーション名が「ワープロ」であった場合は、操作パネル内容決定部１１３は、操作パネルアドレステーブル１５１より、操作パネルアドレスとして「１０００」を取得し、操作パネルの表示内容をテンキーの無いキーボードとする。
【００３４】
ステップＳ３に続いてステップＳ４に進み、操作パネル情報取得部１１４は、操作パネル内容決定部１１３が取得した操作パネルアドレスをキーとして、限度サイズテーブル１５２、理想サイズテーブル１５３、及び重複テーブル１５４等から操作パネルの表示情報を取得する。なお、各テーブルの詳細については後述する。
【００３５】
ステップＳ４に続いてステップＳ５に進み、アプリケーション座標取得部１１５は、表示画面における、アプリケーションウィンドウの四方の頂点座標を取得することにより、アプリケーションウィンドウの表示位置及びサイズを特定する。
【００３６】
ステップＳ５に続いてステップＳ６に進み、操作パネル座標決定部１１６は、アプリケーションウィンドウの表示位置及びサイズに基づいて、表示画面に余白領域（アプリケーションウィンドウが表示されていない領域）があるか否かを判断する。
【００３７】
余白領域がある場合はステップＳ７に進み、操作パネル座標決定部１１６は、操作パネルを限度サイズで余白領域に表示できるか否か、即ち、操作パネルを限度サイズで表示する場合に、操作パネルが余白領域に収まるか否かを判断する。
【００３８】
図５は、限度サイズテーブルの構成例を説明するための図である。限度サイズテーブル１５２は、「操作パネルアドレス」ごとに「限度サイズ」を管理するテーブルである。「操作パネルアドレス」は、上述した操作パネルアドレスと同義である。「限度サイズ」は、操作パネルをこれ以上小さなサイズでは表示できないという限界のサイズ、即ち、表示可能な範囲における最小サイズを「横×縦」の形式で示したものである。従って、操作パネルアドレスが「１０００」の場合は、操作パネルの限度サイズは、７６８（横）×１９２（縦）となる。操作パネル座標決定部１１６は、「限度サイズ」の値を余白領域のサイズと比較することにより、限度サイズによる操作パネルが余白領域内に収まるか否かを判断する。
【００３９】
限度サイズの操作パネルが余白領域に収まる場合はステップＳ８に進み、操作パネル座標決定部１１６は、理想サイズテーブル１５３に設定されている理想サイズに可能な限り近いサイズで、かつ、操作パネルが余白領域に収まるように操作パネルの表示位置及び表示サイズを決定する。更にステップＳ１０において、操作パネル表示部１１７は、操作パネル座標決定部１１６の決定したサイズ及び表示位置に操作パネルを表示させる。
【００４０】
図６は、理想サイズテーブルの構成例を説明するための図である。理想サイズテーブル１５３は、「操作パネルアドレス」ごとに「理想サイズ」を管理するテーブルである。「操作パネルアドレス」は、上述した操作パネルアドレスと同義である。「理想サイズ」は、操作パネルを表示する上で理想的なサイズを「横×縦」の形式で示したものである。従って、操作パネルアドレスが「１０００」の場合は、操作パネルの理想サイズは、１０２４（横）×２５６（縦）となる。操作パネル座標決定部１１６は、「理想サイズ」の値を余白領域のサイズと比較することにより、理想サイズに可能な限り近いサイズで操作パネルを表示できる表示位置及び表示サイズを決定する。
【００４１】
図７は、操作パネルを理想サイズで表示可能な場合の操作パネルの表示例を示す図である。図７において、表示画面５０１上にアプリケーションウィンドウ５０２が表示され、更に、操作パネル５０３が余白領域に理想サイズで表示されている。（Ａ）は、アプリケーションウィンドウと操作パネルとを垂直方向（Ｙ方向）に並べた例であり、（Ｂ）は、アプリケーションウィンドウと操作パネルとを水平方向（Ｘ方向）に並べた例である。なお、操作パネル５０３の表示位置は、操作パネル５０３の一辺をアプリケーションウィンドウ５０２と接しさせ、アプリケーションウィンドウ５０２による制約が無い方向においては、表示画面５０１の中央になるようにするとよい。即ち、（Ａ）の場合は、操作パネルの上辺がアプリケーションウィンドウ５０２下辺と接し、操作パネル５０３のＸ方向の表示位置が、表示画面５０１のＸ方向において中央になっている。また、（Ｂ）の場合は、操作パネル５０３の右辺がアプリケーションウィンドウ５０２の左辺と接し、操作パネル５０３のＹ方向の表示位置が、表示画面５０１のＹ方向において中央になっている。
【００４２】
ステップＳ６又はＳ７の条件を満たさないときはステップＳ９に進む。この場合は、少なくとも操作パネルの一部をアプリケーションウィンドウと重複させて表示せざるを得ないため、操作パネル座標決定部１１６は、操作パネルのサイズは限度サイズとし、表示位置は重複テーブル１５４から取得した情報に基づいて決定する。更にステップＳ１０において、操作パネル表示部１１７は、操作パネル座標決定部１１６の決定したサイズ及び表示位置に操作パネルを表示させる。
【００４３】
図８は、重複テーブルの構成例を説明するための図である。重複テーブル１５４は、「操作パネルアドレス」ごとに「配置可能範囲」を管理するテーブルである。「操作パネルアドレス」は、上述した操作パネルアドレスと同義である。「配置可能範囲」は、アプリケーションウィンドウに対して操作パネルを配置する位置を示す。従って、操作パネルアドレスが「１０００」の場合は、操作パネル座標決定部１１６は、操作パネルをアプリケーションウィンドウの下部に限度サイズで表示させる。
【００４４】
図９は、操作パネルがアプリケーションウィンドウと重複する場合の操作パネルの表示例を示す図である。図９において、表示画面５０１上にアプリケーションウィンドウ５０２の一部と限度サイズの操作パネル５０３の一部とが重複するように表示されている。操作パネル５０３の表示位置は、重複テーブル１５４の「配置可能範囲」に示された領域内で操作パネル５０３の一辺を表示画面５０１の一辺に接しさせ、アプリケーションウィンドウによる制約が無い方向においては、表示画面５０１の中央になるようにするとよい。即ち、図９の場合は、操作パネル５０３下辺が表示画面５０１の下辺に接し、操作パネル５０３のＸ方向の表示位置は、表示画面５０１のＸ方向において中央になっている。
【００４５】
また、図１０は、余白領域が無い場合の操作パネルの表示例を示す図である。図１０において、表示画面５０１上にアプリケーションウィンドウ５０２が全体表示され、アプリケーションウィンドウ５０２の下部に限度サイズの操作パネル５０３が重複するように表示されている。操作パネル５０３の表示位置は、重複テーブル１５４の「配置可能範囲」に示された領域内で操作パネル５０３の一辺（アプリケーションウィンドウ５０２と反対側の辺）を表示画面５０１の一辺に接しさせ、アプリケーションウィンドウによる制約が無い方向においては、表示画面５０１の中央になるようにするとよい。即ち、図１０の場合は、操作パネル５０３下辺が表示画面５０１の下辺に接し、操作パネル５０３のＸ方向の表示位置は、表示画面５０１のＸ方向において中央になっている。
【００４６】
次に、表示画面の表示状態に変更があった場合の操作パネル表示装置１０の処理について説明する。図１１は、表示画面の表示状態に変更があった場合の操作パネル表示装置の処理を説明するためのフローチャートである。
【００４７】
ステップＳ２１において、表示画面の表示状態に変更があると、表示状態変更検出部１１８はその旨を検出する。ここで、表示画面の表示状態の変更とは、今まで操作パネルが操作対象としていた有効アプリケーションのアプリケーションウィンドウのサイズが変更された場合や、これまでの有効アプリケーションに代わって別のアプリケーションが有効となった場合等が相当する。
【００４８】
ステップＳ２１に続いて、以降は、操作パネル表示装置１０は、図３におけるステップＳ２以降の処理と同様の処理を実行する。即ち、アプリケーション情報取得部１１２が有効アプリケーションの情報を取得し（Ｓ２２）、操作パネル内容決定部１１３が情報及び操作パネルアドレステーブル１５１に基づいて操作パネルの表示内容を決定する（Ｓ２３）。続いて、操作パネル情報取得部１１４が限度サイズテーブル１５２、理想サイズ１５３及び重複テーブル１５４を読み込み、アプリケーション座標取得部１１５がアプリケーションウィンドウの表示位置及びサイズを取得する。更に、操作パネル座標決定部１１６が余白領域の有無や限度サイズテーブル１５２、理想サイズ１５３及び重複テーブル１５４等に基づいて操作パネルの表示位置及びサイズを決定し（Ｓ２６〜Ｓ２９）、操作パネル表示部１１７が、決定された表示位置及びサイズによって操作パネルを再表示する（Ｓ３０）。
【００４９】
上述したように、本発明の実施の形態における操作パネル表示装置１０によれば、操作パネルアドレステーブル１５１において、アプリケーション毎に表示パネルの表示内容を管理しているため、アプリケーションごとに操作パネルの表示内容を対応させることができる。
【００５０】
また、操作パネル表示装置１０は、アプリケーションの表示位置及び表示サイズに基づいて、操作パネルの表示位置を決定するため、アプリケーションに対応した表示態様で操作パネルを表示させることができる。また、操作パネル表示装置１０は、できるだけ余白領域に操作パネルを表示させるようにするため、操作パネルとアプリケーションウィンドウの重複を避けることができ、アプリケーションの操作性の低下を防止することができる。
このような表示装置では、アプリケーションのウィンドウのサイズ変更や、操作対象とするアプリケーションが別のアプリケーションになった場合等、改めて操作パネルの表示態様をアプリケーションに対応させることができる。
なお、上述した実施の形態においては、限度サイズテーブル１５２における「限度サイズ」及び理想サイズサイズテーブル１５３における「理想サイズ」には、絶対値が登録されているが、必ずしも絶対値に限られるものではなく、例えば、アプリケーションウィンドウのサイズに対する比率や、表示画面に対する比率として規定してもよい。
【００５１】
以上、本発明の好ましい実施例について詳述したが、本発明は係る特定の実施形態に限定されるものではなく、特許請求の範囲に記載された本発明の要旨の範囲内において、種々の変形・変更が可能である。
【００５２】
【発明の効果】
上述の如く、本発明によれば、表示画面にウィンドウが表示されているアプリケーションの操作部品を、アプリケーションに対応した表示態様で表示させることができる。
【図面の簡単な説明】
【図１】本発明の実施の形態における操作パネル表示装置のハードウェア構成例を示す図である。
【図２】本発明の実施の形態における操作パネル表示装置の機能構成例を示す図である。
【図３】操作パネル表示装置の処理を説明するためのフローチャートである。
【図４】操作パネルアドレステーブルの構成例を示す図である。
【図５】限度サイズテーブルの構成例を説明するための図である。
【図６】理想サイズテーブルの構成例を説明するための図である。
【図７】操作パネルを理想サイズで表示可能な場合の操作パネルの表示例を示す図である。
【図８】重複テーブルの構成例を説明するための図である。
【図９】操作パネルがアプリケーションウィンドウと重複する場合の操作パネルの表示例を示す図である。
【図１０】余白領域が無い場合の操作パネルの表示例を示す図である。
【図１１】表示画面の表示状態に変更があった場合の操作パネル表示装置の処理を説明するためのフローチャートである。
【符号の説明】
１００    ドライブ装置
１０１    記録媒体
１０２    補助記憶装置
１０３    メモリ装置
１０４    演算処理装置
１０５    入力装置
１０６    表示装置
１１１    操作パネル要求取得部
１１２    アプリケーション情報取得部
１１３    操作パネル内容決定部
１１４    操作パネル情報取得部
１１５    アプリケーション座標取得部
１１６    操作パネル座標決定部
１１７    操作パネル表示部
１１８    表示状態変更検出部
１５１    操作パネルアドレステーブル
１５２    限度サイズテーブル
１５３    理想サイズテーブル
１５４    重複テーブル
Ｂ    バス
【図１】
2004206455.tif 000003
【図２】
2004206455.tif 000004
【図３】
2004206455.tif 000005
【図４】
2004206455.tif 000006
【図５】
2004206455.tif 000007
【図６】
2004206455.tif 000008
【図７】
2004206455.tif 000009
【図８】
2004206455.tif 000010
【図９】
2004206455.tif 000011
【図１０】
2004206455.tif 000012
【図１１】
2004206455.tif 000013